(57)【要約】【課題】装置の小型化と照明効率とを両立することができる照明装置及び画像読取装置を提供する。【解決手段】基板１０５の実装面１０６に複数の発光素子１０７が配列されて実装され照明対象Ｓに向けて光を照射する線状光源１０１と、実装面１０６を含む面に線状光源１０１の光軸と平行な平面状に設けられ線状光源１０１からの光を反射する白色反射面１０２と、平面状に形成され線状光源１０１からの光及び白色反射面１０２からの反射光を反射するミラー面１０３とを備え、線状光源１０１及び白色反射面１０２とミラー面１０３とは、第３面Ｐ３が第２面Ｐ２より照明対象Ｓ側で第１面Ｐ１と交差すると共に、０°＜θＷ＜θＲ＜９０°を満たすように配置される。【選択図】図１
2010109652.tif 000002
【特許請求の範囲】
【請求項１】
基板の実装面に複数の発光素子が配列されて実装され照明対象に向けて光を照射する線状光源と、
前記実装面を含む面に前記線状光源の光軸と平行な平面状に設けられ前記線状光源からの光を反射する白色反射面と、
平面状に形成され前記線状光源からの光及び前記白色反射面からの反射光を反射するミラー面とを備え、
前記照明対象からの反射光を結像させる結像光学系の光軸と、前記結像光学系により結像された前記照明対象からの反射光を電気信号に変換し前記照明対象の画像を読み取る複数の画素が主走査方向に配列されたラインセンサの画素列とを含む面を第１面とし、
前記ミラー面を含む面を第２面とし、
前記白色反射面を含む面を第３面とし、
前記第１面を境界として前記線状光源及び前記白色反射面が配置される一方側の空間領域を光源領域とし、
前記第１面を境界として前記ミラー面が配置される他方側の空間領域をミラー領域とし、
前記第１面と前記第２面とが前記ミラー領域側でかつ前記照明対象側でなす第１角度をθＲとし、
前記第１面と前記第３面とが前記光源領域側でかつ前記線状光源側でなす第２角度をθＷとした場合に、
前記線状光源及び前記白色反射面と前記ミラー面とは、前記第３面が前記第２面より前記照明対象側で前記第１面と交差すると共に、０°＜θＷ＜θＲ＜９０°を満たすように配置されることを特徴とする、
照明装置。
【請求項２】
平板状の透明材料により形成され前記線状光源と前記照明対象との間に配置され、前記線状光源側と前記照明対象側の両表面が前記第１面と直交する透明部材を備え、
前記透明部材の前記表面と直交する方向に沿った厚さをｔとし、
前記透明部材の屈折率をｎとし、
前記主走査方向と直交する副走査方向に対する中心位置が前記第１面上に位置する範囲であって前記副走査方向に対して前記ラインセンサが前記照明対象の画像を読み取り可能な範囲を読取範囲とし、
前記読取範囲の前記線状光源側の境界を含み前記第１面と平行な面を第４面とし、
前記透明部材の前記照明対象側の表面から前記線状光源側に（１−１／ｎ）・ｔの位置にあり前記表面と平行かつ前記第１面と直交する面を第５面とし、
前記第４面と前記第５面との交線と前記線状光源の光源中心とを含む面を第６面とし、
前記第１面と前記第５面との交線と前記線状光源の光源中心とを含む面を第７面とし、
前記読取範囲の前記ミラー面側の境界を含み前記第１面と平行な面を第８面とし、
前記第１面と前記第６面とが前記第４面側でかつ前記線状光源側でなす第３角度をθαとし、
前記第１面と前記第７面とが前記第４面側でかつ前記線状光源側でなす第４角度をθβとし、
前記第１面と前記第５面との交線から前記線状光源の光源中心までの距離をＬ０とし、
前記第２面と前記第８面との交線と、前記第２面と前記透明部材の前記線状光源側の表面との交線との距離をＬ１とし、
前記第２面と前記第８面との交線と、前記第２面と前記透明部材の前記線状光源側の表面との交線とに直交する方向に沿った前記ミラー面の長さをＬＭとした場合に、
前記線状光源及び前記白色反射面と前記ミラー面とは、１５°≦θα、３０°≧θβ、０．６＜Ｌ１／Ｌ０・ｃｏｓθＲ／ｃｏｓθβ＜１．０、１０°≦θＲ≦３０°及びＬＭ≦Ｌ１を満たすように配置されることを特徴とする、
請求項１に記載の照明装置。
【請求項３】
前記白色反射面は、前記基板の前記実装面の白色レジストにより形成されることを特徴とする、
請求項１又は請求項２に記載の照明装置。
【請求項４】
前記白色反射面は、前記基板の前記実装面又は前記基板が搭載された壁面体に設けられた樹脂製の白色反射シート材により形成されることを特徴とする、
請求項１又は請求項２に記載の照明装置。
【請求項５】
前記基板は、当該基板の厚さと同等の深さに設定された基板設置溝を有する壁面体の当該基板設置溝に設けられ、
前記白色反射面は、前記壁面体において前記基板設置溝と前記線状光源による光の照射側で連続して形成されるシート設置溝に設けられる樹脂製の白色反射シート材により形成され、
前記シート設置溝は、前記白色反射シート材の厚さと同等の深さに設定されることを特徴とする、
請求項１又は請求項２に記載の照明装置。
【請求項６】
前記基板は、当該基板の厚さと同等の深さに設定された基板設置溝を有する壁面体の当該基板設置溝に設けられ、
前記白色反射面は、前記壁面体において前記基板設置溝と前記線状光源による光の照射側で連続する部分に施された白色塗装により形成されることを特徴とする、
請求項１又は請求項２に記載の照明装置。
【請求項７】
前記ミラー面は、樹脂部材に金属を蒸着したミラーシート材により形成されることを特徴とする、
請求項１乃至請求項６のいずれか１項に記載の照明装置。
【請求項８】
前記線状光源及び前記白色反射面とが設けられる光源側壁面体と、前記ミラー面が設けられるミラー側壁面体と、前記線状光源により光を照射する側とは反対側で前記光源側壁面体と前記ミラー側壁面体とを連結すると共に前記主走査方向と直交する副走査方向に対する中心が前記第１面に位置する範囲であって前記副走査方向に対して前記ラインセンサが前記照明対象の画像を読み取り可能な読取範囲に応じた開口部が設けられた連結壁面体とが一体に形成され、内部に前記線状光源、前記白色反射面及び前記ミラー面を収容する筐体を備えることを特徴とする、
請求項１乃至請求項７のいずれか１項に記載の照明装置。
【請求項９】
前記線状光源が設けられる光源側壁面体と、前記ミラー面が設けられるミラー側壁面体と、前記線状光源により光を照射する側とは反対側で前記光源側壁面体と前記ミラー側壁面体とを連結すると共に前記主走査方向と直交する副走査方向に対する中心が前記第１面に位置する範囲であって前記副走査方向に対して前記ラインセンサが前記照明対象の画像を読み取り可能な読取範囲に応じた開口部が設けられた連結壁面体とが白色の樹脂材料により一体に形成され、内部に前記線状光源、前記白色反射面及び前記ミラー面を収容する筐体を備え、
前記白色反射面は、前記光源側壁面体により形成され、
前記ミラー面は、前記ミラー側壁面体に金属を蒸着して形成されることを特徴とする、
請求項１又は請求項２に記載の照明装置。
【請求項１０】
前記光源側壁面体と前記ミラー側壁面体とは、前記線状光源により光を照射する側の端部に前記線状光源と前記照明対象との間に配置される透明部材の取付部を有することを特徴とする、
請求項８又は請求項９に記載の照明装置。
【請求項１１】
請求項１乃至請求項１０のいずれか１項に記載の照明装置と、
前記照明対象からの反射光を結像させる前記結像光学系と、
前記結像光学系により結像された前記照明対象からの反射光を電気信号に変換し前記照明対象の画像を読み取る複数の画素が主走査方向に配列された前記ラインセンサとを備えることを特徴とする、
画像読取装置。
【発明の詳細な説明】
【技術分野】
【０００１】
本発明は、照明装置及び画像読取装置に関し、特に、一次元イメージセンサを用いた画像読取装置において画像読取対象を照明する照明装置及び画像読取装置に関するものである。
【背景技術】
【０００２】
従来の一次元イメージセンサを用いた画像読取装置の照明装置として、照明対象に向けて光を照射する複数の発光素子、例えば、複数のＬＥＤをイメージセンサの主走査方向に沿って直線状に配列し、この複数のＬＥＤを同時に点灯させることにより、画像読取対象である照明対象を照明する照明装置が提案されている。
【０００３】
このような従来の照明装置を備えた画像読取装置として、例えば、特許文献１には照明対象としての原稿を照明する第１及び第２の照明装置と、原稿からの反射光を結像する結像手段と、反射光を電気信号に変換する複数の画素がライン状に配置された一次元イメージセンサとしてのセンサーアレイとを備えるイメージセンサーユニットが開示されている。この特許文献１に記載されたイメージセンサーユニットでは、第１及び第２の照明装置の各々は、複数の画素が構成するライン状の原稿読取部の１ラインの長さにわたって照明光量が略均一な光を出射する導光体を有すると共に、結像手段の両側に互いに対向して配置されている。
【０００４】
【特許文献１】特許第３８８５０８８号公報
【発明の開示】
【発明が解決しようとする課題】
【０００５】
ところで、このような従来の照明装置及び画像読取装置では、例えば、イメージセンサの副走査方向に対して、このイメージセンサにより画像を読み取り可能な範囲の両側に、それぞれ主走査方向に沿って線状光源及び線状光源から照射された光を照明対象側に反射させる曲面リフレクタ（曲面反射面）が１組ずつ設けられたものがある。この場合、イメージセンサの副走査方向の照度分布を安定化（均一化）しつつ照射光量を増すことができるので照明効率を向上させることができるものの、装置が大型化するおそれがあった。これに対し、例えば、イメージセンサの副走査方向に対して、このイメージセンサにより画像を読み取り可能な範囲の一方側に主走査方向に沿って線状光源及び線状光源から照射された光を照明対象側に反射させる曲面リフレクタ（曲面反射面）を設け他方側に形状の異なる曲面リフレクタ設けた場合、線状光源が１つ少ない分、装置を小型化することができるものの、イメージセンサの副走査方向の照度分布が不均一となり照射光量も減ることで照明効率が低下するおそれがあった。
【０００６】
そこで本発明は、装置の小型化と照明効率とを両立することができる照明装置及び画像読取装置を提供することを目的とする。
【課題を解決するための手段】
【０００７】
上記目的を達成するために、請求項１に係る発明による照明装置は、基板の実装面に複数の発光素子が配列されて実装され照明対象に向けて光を照射する線状光源と、前記実装面を含む面に前記線状光源の光軸と平行な平面状に設けられ前記線状光源からの光を反射する白色反射面と、平面状に形成され前記線状光源からの光及び前記白色反射面からの反射光を反射するミラー面とを備え、前記照明対象からの反射光を結像させる結像光学系の光軸と、前記結像光学系により結像された前記照明対象からの反射光を電気信号に変換し前記照明対象の画像を読み取る複数の画素が主走査方向に配列されたラインセンサの画素列とを含む面を第１面とし、前記ミラー面を含む面を第２面とし、前記白色反射面を含む面を第３面とし、前記第１面を境界として前記線状光源及び前記白色反射面が配置される一方側の空間領域を光源領域とし、前記第１面を境界として前記ミラー面が配置される他方側の空間領域をミラー領域とし、前記第１面と前記第２面とが前記ミラー領域側でかつ前記照明対象側でなす第１角度をθＲとし、前記第１面と前記第３面とが前記光源領域側でかつ前記線状光源側でなす第２角度をθＷとした場合に、前記線状光源及び前記白色反射面と前記ミラー面とは、前記第３面が前記第２面より前記照明対象側で前記第１面と交差すると共に、０°＜θＷ＜θＲ＜９０°を満たすように配置されることを特徴とする。
【０００８】
請求項２に係る発明による照明装置では、平板状の透明材料により形成され前記線状光源と前記照明対象との間に配置され、前記線状光源側と前記照明対象側の両表面が前記第１面と直交する透明部材を備え、前記透明部材の前記表面と直交する方向に沿った厚さをｔとし、前記透明部材の屈折率をｎとし、前記主走査方向と直交する副走査方向に対する中心位置が前記第１面上に位置する範囲であって前記副走査方向に対して前記ラインセンサが前記照明対象の画像を読み取り可能な範囲を読取範囲とし、前記読取範囲の前記線状光源側の境界を含み前記第１面と平行な面を第４面とし、前記透明部材の前記照明対象側の表面から前記線状光源側に（１−１／ｎ）・ｔの位置にあり前記表面と平行かつ前記第１面と直交する面を第５面とし、前記第４面と前記第５面との交線と前記線状光源の光源中心とを含む面を第６面とし、前記第１面と前記第５面との交線と前記線状光源の光源中心とを含む面を第７面とし、前記読取範囲の前記ミラー面側の境界を含み前記第１面と平行な面を第８面とし、前記第１面と前記第６面とが前記第４面側でかつ前記線状光源側でなす第３角度をθαとし、前記第１面と前記第７面とが前記第４面側でかつ前記線状光源側でなす第４角度をθβとし、前記第１面と前記第５面との交線から前記線状光源の光源中心までの距離をＬ０とし、前記第２面と前記第８面との交線と、前記第２面と前記透明部材の前記線状光源側の表面との交線との距離をＬ１とし、前記第２面と前記第８面との交線と、前記第２面と前記透明部材の前記線状光源側の表面との交線とに直交する方向に沿った前記ミラー面の長さをＬＭとした場合に、前記線状光源及び前記白色反射面と前記ミラー面とは、１５°≦θα、３０°≧θβ、０．６＜Ｌ１／Ｌ０・ｃｏｓθＲ／ｃｏｓθβ＜１．０、１０°≦θＲ≦３０°及びＬＭ≦Ｌ１を満たすように配置されることを特徴とする。
【０００９】
請求項３に係る発明による照明装置では、前記白色反射面は、前記基板の前記実装面の白色レジストにより形成されることを特徴とする。
【００１０】
請求項４に係る発明による照明装置では、前記白色反射面は、前記基板の前記実装面又は前記基板が搭載された壁面体に設けられた樹脂製の白色反射シート材により形成されることを特徴とする。
【００１１】
請求項５に係る発明による照明装置では、前記基板は、当該基板の厚さと同等の深さに設定された基板設置溝を有する壁面体の当該基板設置溝に設けられ、前記白色反射面は、前記壁面体において前記基板設置溝と前記線状光源による光の照射側で連続して形成されるシート設置溝に設けられる樹脂製の白色反射シート材により形成され、前記シート設置溝は、前記白色反射シート材の厚さと同等の深さに設定されることを特徴とする。
【００１２】
請求項６に係る発明による照明装置では、前記基板は、当該基板の厚さと同等の深さに設定された基板設置溝を有する壁面体の当該基板設置溝に設けられ、前記白色反射面は、前記壁面体において前記基板設置溝と前記線状光源による光の照射側で連続する部分に施された白色塗装により形成されることを特徴とする。
【００１３】
請求項７に係る発明による照明装置では、前記ミラー面は、樹脂部材に金属を蒸着したミラーシート材により形成されることを特徴とする。
【００１４】
請求項８に係る発明による照明装置では、前記線状光源及び前記白色反射面とが設けられる光源側壁面体と、前記ミラー面が設けられるミラー側壁面体と、前記線状光源により光を照射する側とは反対側で前記光源側壁面体と前記ミラー側壁面体とを連結すると共に前記主走査方向と直交する副走査方向に対する中心が前記第１面に位置する範囲であって前記副走査方向に対して前記ラインセンサが前記照明対象の画像を読み取り可能な読取範囲に応じた開口部が設けられた連結壁面体とが一体に形成され、内部に前記線状光源、前記白色反射面及び前記ミラー面を収容する筐体を備えることを特徴とする。
【００１５】
請求項９に係る発明による照明装置では、前記線状光源が設けられる光源側壁面体と、前記ミラー面が設けられるミラー側壁面体と、前記線状光源により光を照射する側とは反対側で前記光源側壁面体と前記ミラー側壁面体とを連結すると共に前記主走査方向と直交する副走査方向に対する中心が前記第１面に位置する範囲であって前記副走査方向に対して前記ラインセンサが前記照明対象の画像を読み取り可能な読取範囲に応じた開口部が設けられた連結壁面体とが白色の樹脂材料により一体に形成され、内部に前記線状光源、前記白色反射面及び前記ミラー面を収容する筐体を備え、前記白色反射面は、前記光源側壁面体により形成され、前記ミラー面は、前記ミラー側壁面体に金属を蒸着して形成されることを特徴とする。
【００１６】
請求項１０に係る発明による照明装置では、前記光源側壁面体と前記ミラー側壁面体とは、前記線状光源により光を照射する側の端部に前記線状光源と前記照明対象との間に配置される透明部材の取付部を有することを特徴とする。
【００１７】
上記目的を達成するために、請求項１１に係る発明による画像読取装置は、請求項１乃至請求項１０のいずれか１項に記載の照明装置と、前記照明対象からの反射光を結像させる前記結像光学系と、前記結像光学系により結像された前記照明対象からの反射光を電気信号に変換し前記照明対象の画像を読み取る複数の画素が主走査方向に配列された前記ラインセンサとを備えることを特徴とする。
【発明の効果】
【００１８】
本発明に係る照明装置によれば、線状光源及び白色反射面とミラー面とは、第３面が第２面より照明対象側で第１面と交差すると共に、０°＜θＷ＜θＲ＜９０°を満たすように配置されるので、装置の小型化と照明効率とを両立することができる。
【００１９】
本発明に係る画像読取装置によれば、線状光源及び白色反射面とミラー面とは、第３面が第２面より照明対象側で第１面と交差すると共に、０°＜θＷ＜θＲ＜９０°を満たすように配置されるので、装置の小型化と照明効率とを両立することができる。
【発明を実施するための最良の形態】
【００２０】
以下に、本発明に係る照明装置及び画像読取装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００２１】
［実施形態１］
図１は、本発明の実施形態１に係る照明装置及び画像読取装置の構成を示す模式的構成図、図２は、本発明の実施形態１に係る照明装置及び画像読取装置が備える白色反射面を説明する概略断面図、図３は、本発明の実施形態１に係る照明装置及び画像読取装置が備える筐体を説明する概略断面図、図４は、本発明の実施形態１に係る照明装置及び画像読取装置のＬＥＤ列光源と白色反射面による配光分布特性を説明する図、図５は、本発明の実施形態１に係る照明装置及び画像読取装置のＬＥＤ列光源と白色反射面とを傾斜させた場合の配光分布特性を説明する図、図６は、本発明の実施形態１に係る照明装置及び画像読取装置のミラー面における反射を説明する模式図、図７は、本発明の実施形態１に係る照明装置及び画像読取装置の副走査方向における照度分布を説明する図である。
【００２２】
図１に示すように、本発明の実施形態に係る照明装置１００は、照明対象である原稿Ｓを照明するものであり、ここでは、画像読取装置１に適用した場合で説明する。下記の実施の形態では、画像読取装置１は、イメージスキャナである場合について説明するが本発明はこれに限定されるものではなく、複写機、ファクシミリ、文字認識装置などの画像読取媒体をイメージセンサによりスキャンするものであればいずれであってもよい。
【００２３】
画像読取装置１は、照明装置１００によって照明された画像読取対象としての原稿Ｓの画像を読み取るものである。画像読取装置１は、原稿Ｓ上の画像を光学的に走査し、電気信号に変換して画像データとして読み取るものであり、照明装置１００と、結像光学系としてのレンズ２と、ラインセンサ３とを備える。本実施形態の画像読取装置１は、レンズ２の光軸方向に対して原稿Ｓ側から順に照明装置１００、レンズ２、ラインセンサ３の順番で配置されている。
【００２４】
照明装置１００は、線状光源としてのＬＥＤ列光源１０１と、白色反射面１０２と、ミラー面１０３と、透明部材としてのガラス板１０４とを含んで構成される。照明装置１００は、ＬＥＤ列光源１０１が原稿Ｓに向けて光を照射すると共に、白色反射面１０２、ミラー面１０３がこの照射光の一部を原稿Ｓに向けて反射することで、原稿Ｓを照射するものである。ガラス板１０４は、矩形平板状の透明材料、ここではガラスにより形成され、ＬＥＤ列光源１０１と原稿Ｓとの間に配置される。ガラス板１０４は、不図示の原稿台側へ原稿Ｓを押し付けて、原稿Ｓが原稿台から浮いてしまうことを抑制する。なお、この照明装置１００の構成は、後で詳細に説明する。
【００２５】
レンズ２は、原稿Ｓからの反射光を結像させるものである。レンズ２は、照明装置１００から照射され原稿Ｓにて反射した反射光をラインセンサ３の受光面に集束、結像させるものである。
【００２６】
ラインセンサ３は、照明装置１００から照射され原稿Ｓで反射しレンズ２を通過して結像された反射光を複数の画素が受光し、電気信号に変換することで画像を読み取るものである。ラインセンサ３は、複数の画素として、例えば、光を受光して電荷を発生させる複数の光電変換素子を直線状に配列したリニアイメージセンサ（一次元イメージセンサ）である。ラインセンサ３は、この光電変換素子の配列方向がラインセンサ３の主走査方向となる一方、主走査方向と直交する方向が副走査方向となる。図１では、図中奥行き方向がラインセンサ３の主走査方向となり、図中左右方向がラインセンサ３の副走査方向となる。
【００２７】
そして、画像読取装置１は、不図示の相対移動機構によりラインセンサ３と原稿Ｓとを副走査方向に対して相対移動させラインセンサ３により原稿Ｓを副走査方向に走査することで、このラインセンサ３により原稿Ｓ上の二次元画像を読み取ることができる。
【００２８】
すなわち、上記のように構成される画像読取装置１では、照明装置１００から原稿Ｓに照射された光は、原稿Ｓで反射されレンズ２で集束、結像される。そして、レンズ２を介した反射光は、ラインセンサ３に入射すると共に電気信号に変換され、主走査方向に沿った１読取ライン毎に原稿Ｓの画像が読み取られる。そして、この画像読取装置１では、不図示の相対移動機構によりラインセンサ３と原稿Ｓとを副走査方向に対して相対移動させ、ラインセンサ３により副走査方向に沿って順次画像を読み取っていくことで、原稿Ｓ上の二次元画像データを読み取ることができる。
【００２９】
なお、この画像読取装置１の相対移動機構は、副走査方向に沿って照明装置１００と共にラインセンサ３を移動させることで、ラインセンサ３と原稿Ｓとを副走査方向に対して相対移動させる構成であってもよいし、副走査方向に沿って原稿Ｓを移動させることで、ラインセンサ３と原稿Ｓとを副走査方向に対して相対移動させる構成であってもよい。つまり、本実施形態の画像読取装置１は、ラインセンサ３を原稿Ｓに対して移動させることで、ラインセンサ３と原稿Ｓとを副走査方向に対して相対移動させるフラットヘッド型あるいはハンディ型のスキャナであってもよいし、原稿Ｓをラインセンサ３に対して移動させることで、ラインセンサ３と原稿Ｓとを副走査方向に対して相対移動させる自動給紙型のスキャナであってもよい。
【００３０】
次に、照明装置１００についての詳細を説明する。本実施形態の照明装置１００は、ＬＥＤ列光源１０１と白色反射面１０２とミラー面１０３とを所定の位置関係で配置することで、装置の小型化と照明効率との両立を図っている。
【００３１】
まず、ＬＥＤ列光源１０１は、上述したように、原稿Ｓに向けて光を照射するものである。ＬＥＤ列光源１０１は、基板１０５の実装面１０６に複数の発光素子、ここでは、ＬＥＤ１０７が配列されて実装される。
【００３２】
基板１０５は、例えば、主走査方向に沿って延設される矩形板状のプリント基板である。ここでプリント基板は、電気絶縁性の高い材料の表面または内部に、導電性材料で導体パターンを形成固着したものであり、例えば、絶縁性の高いガラス繊維強化のエポキシ樹脂基板上に銅箔で配線パターンを描き、電子回路としたものである。実装面１０６は、このプリント基板である基板１０５の一方の面に設けられＬＥＤ１０７が実装される面をなす。
【００３３】
ＬＥＤ１０７は、いわゆるサイドビュー型のＬＥＤが適用される。このサイドビュー型のＬＥＤ１０７は、基板１０５の実装面１０６から垂直に突出するように設けられると共に発光面が原稿Ｓ側、言い換えれば、ガラス板１０４側を向くように設定され、光の照射方向が原稿Ｓ側（ガラス板１０４側）となるように設定される。また、サイドビュー型のＬＥＤ１０７は、その光軸が基板１０５の実装面１０６と平行になるように設定されている。
【００３４】
ＬＥＤ列光源１０１は、このサイドビュー型のＬＥＤ１０７を所定の配列方向に等間隔に１列で配列することで構成される。このＬＥＤ列光源１０１は、複数のＬＥＤ１０７をラインセンサ３の主走査方向（図１中奥行き方向）に沿って配列することで線状光源をなし、すなわち、原稿Ｓに対して線状の光を照射することができる。
【００３５】
白色反射面１０２は、いわゆるランバート面をなすものであり、ＬＥＤ列光源１０１からの光の一部を反射するものである。ここで、ランバート面とは、任意の小さい表面部分からある与えられた方向に放出する光の強度が、その表面に立てた法線とのなす角の余弦に比例した性質を持っている拡散反射面である。
【００３６】
白色反射面１０２は、図２に示すように、基板１０５の実装面１０６を含む面に設けられる。白色反射面１０２は、実装面１０６においてＬＥＤ列光源１０１による光の照射側の領域に実装面１０６と平行となるように設けられている。したがって、白色反射面１０２は、ＬＥＤ列光源１０１の光軸と平行な平面状に設けられることとなる。ここでは、実装面１０６は、基板１０５に白色のレジストが塗布されて形成され、白色反射面１０２は、基板１０５の実装面１０６のこの白色レジストにより形成される。これにより、白色反射面１０２を安価に作成することができる。白色反射面１０２は、ＬＥＤ列光源１０１の照射光の一部を原稿Ｓ及びミラー面１０３に向けて反射する。
【００３７】
図１に戻って、ミラー面１０３は、主走査方向に沿って延設される矩形板状のミラー部材１０８の表面に設けられ、ＬＥＤ列光源１０１の照射光の一部、白色反射面１０２からの反射光の一部を原稿Ｓに向けて反射するものである。ミラー面１０３は、ミラー部材１０８の表面に平面状に形成される鏡面反射面であり、ＬＥＤ列光源１０１からの光及び白色反射面１０２からの反射光を反射する。
【００３８】
ここで、この照明装置１００は、副走査方向に対してレンズ２の光軸（言い換えれば、後述の第１面Ｐ１）を挟んで一方側にＬＥＤ列光源１０１と白色反射面１０２が設けられ、他方側にミラー面１０３が設けられる。白色反射面１０２とミラー面１０３とは、基本的には副走査方向に対向して配置される。また、ＬＥＤ列光源１０１、白色反射面１０２、ミラー面１０３は、副走査方向に対してラインセンサ３が原稿Ｓの画像を読み取り可能な範囲である読取範囲Ｗの外側に設けられている。読取範囲Ｗは、副走査方向に対する中心位置がレンズ２の光軸（言い換えれば、後述の第１面Ｐ１）上に位置する範囲である。
【００３９】
ガラス板１０４は、上述したように、矩形平板状の透明材料、ここではガラスにより形成され、ＬＥＤ列光源１０１と原稿Ｓとの間に配置される。ガラス板１０４は、ＬＥＤ列光源１０１側の表面１０９と原稿Ｓ側の表面１１０がともにレンズ２の光軸（言い換えれば、後述の第１面Ｐ１）と直交するように配置される。
【００４０】
ここで、この照明装置１００は、図３に示すように、さらに筐体１１１を備え、ＬＥＤ列光源１０１、白色反射面１０２、ミラー面１０３は、この筐体１１１の内部に収容されている。筐体１１１は、光源側壁面体１１２と、ミラー側壁面体１１３と、連結壁面体１１４と、不図示の端面壁面体とを含んで構成される。
【００４１】
光源側壁面体１１２は、主走査方向に沿って延設される矩形板状に形成され、基板１０５と共にＬＥＤ列光源１０１、白色反射面１０２が設けられる。
【００４２】
ミラー側壁面体１１３は、主走査方向に沿って延設される矩形板状に形成され、ミラー部材１０８と共にミラー面１０３が設けられる。
【００４３】
上述したように、白色反射面１０２とミラー面１０３とは、基本的にはレンズ２の光軸（言い換えれば、後述の第１面Ｐ１）を挟んで副走査方向に対向して読取範囲Ｗの外側に設けられることから、光源側壁面体１１２とミラー側壁面体１１３も同様に、レンズ２の光軸（言い換えれば、後述の第１面Ｐ１）を挟んで副走査方向に対向して読取範囲Ｗの外側に配置される。そして、光源側壁面体１１２とミラー側壁面体１１３は、互いに対向する面にそれぞれＬＥＤ列光源１０１、白色反射面１０２、ミラー面１０３が固定して設けられる。
【００４４】
連結壁面体１１４は、主走査方向に沿って延設される矩形板状に形成され、光源側壁面体１１２とミラー側壁面体１１３とを連結するものである。連結壁面体１１４は、ＬＥＤ列光源１０１により光を照射する側とは反対側で光源側壁面体１１２とミラー側壁面体１１３とを連結する。
【００４５】
したがって、この筐体１１１は、全体として副走査方向の断面形状が光源側壁面体１１２とミラー側壁面体１１３と連結壁面体１１４とにより略コの字型形状に形成され、その開口側、すなわち、ＬＥＤ列光源１０１により光を照射する側に上述のガラス板１０４（図１参照）が配置される。そして、筐体１１１は、光源側壁面体１１２、ミラー側壁面体１１３、連結壁面体１１４の主走査方向の両端面が不図示の端面壁面体により閉鎖されることで、ＬＥＤ列光源１０１、白色反射面１０２、ミラー面１０３の収容空間が区画される。つまり、ＬＥＤ列光源１０１、白色反射面１０２は、基板１０５と共に光源側壁面体１１２の収容空間側の面に固定されて収容される一方、ミラー面１０３は、ミラー部材１０８と共にミラー側壁面体１１３の収容空間側の面に固定されて収容される。
【００４６】
ここで、この筐体１１１の連結壁面体１１４は、ラインセンサ３（図１参照）の読取範囲Ｗに応じた開口部１１５が設けられている。開口部１１５は、副走査方向に対してラインセンサ３の読取範囲Ｗよりもやや幅広に形成された開口であり、連結壁面体１１４にて主走査方向に沿って矩形状に形成される。したがって、ラインセンサ３は、原稿Ｓからの反射光がこの連結壁面体１１４の開口部１１５を通過することで、レンズ２を介した原稿Ｓからの反射光を受光することができる。
【００４７】
そして、本実施形態の筐体１１１は、光源側壁面体１１２と、ミラー側壁面体１１３と、連結壁面体１１４と、不図示の端面壁面体とが全て一体に形成される。したがって、照明装置１００は、筐体１１１を光源側壁面体１１２とミラー側壁面体１１３と連結壁面体１１４と不図示の端面壁面体とを全て一体で形成することで、ＬＥＤ列光源１０１、白色反射面１０２、ミラー面１０３を同一の部材に固定することができるので、その位置関係を後述する適正な位置関係で確実に固定することができる。
【００４８】
また、この照明装置１００は、光源側壁面体１１２とミラー側壁面体１１３と連結壁面体１１４と不図示の端面壁面体とが全て一体に形成される筐体１１１を例えば熱伝導率の高い材料により形成することで放熱性を向上することができるので、例えば、ＬＥＤ１０７が光を照射する際に基板１０５に生じた熱を筐体１１１から良好に放熱することができ、この結果、例えば、基板１０５の反りを抑制することができ、また、ＬＥＤ１０７の耐久性を向上することができる。
【００４９】
図１に戻って、ＬＥＤ列光源１０１、白色反射面１０２、ミラー面１０３の位置関係をさらに具体的に説明する。
【００５０】
まずここでは、ＬＥＤ列光源１０１、白色反射面１０２、ミラー面１０３の適正な位置関係を説明するために、以下の前提条件を設定する。
【００５１】
レンズ２の光軸と、ラインセンサ３の画素列（画素列において副走査方向に沿った読取範囲Ｗの中心位置）とを含む面を第１面Ｐ１とする。この第１面Ｐ１は、ラインセンサ３の受光面における読取範囲Ｗの中心位置を通る。
【００５２】
ミラー面１０３（表面の鏡面反射面）を含む面を第２面Ｐ２とする。
【００５３】
白色反射面１０２（表面の拡散反射面）を含む面を第３面Ｐ３とする。
【００５４】
第１面Ｐ１を境界としてＬＥＤ列光源１０１及び白色反射面１０２が配置される一方側の空間領域を光源領域Ｔ１とする。
【００５５】
第１面Ｐ１を境界としてミラー面１０３が配置される他方側の空間領域をミラー領域Ｔ２とする。
【００５６】
第１面Ｐ１と第２面Ｐ２とがミラー領域Ｔ２側でかつ原稿Ｓ側でなす第１角度をθＲとする。
【００５７】
第１面Ｐ１と第３面Ｐ３とが光源領域Ｔ１側でかつＬＥＤ列光源１０１側でなす第２角度をθＷとする。
【００５８】
そして、ＬＥＤ列光源１０１及び白色反射面１０２と、ミラー面１０３とは、上記のように設定された前提条件のもとで、第３面Ｐ３が第２面Ｐ２より原稿Ｓ側で第１面Ｐ１と交差すると共に、次式（１）を満たすように配置される。ここでは、第１面Ｐ１と第２面Ｐ２とがミラー領域Ｔ２側でかつ原稿Ｓ側でなす角と、第１面Ｐ１と第３面Ｐ３とが光源領域Ｔ１側でかつＬＥＤ列光源１０１側でなす角とはともに鋭角をなす。
０°＜θＷ＜θＲ＜９０°  ・・・  （１）
【００５９】
本実施形態の照明装置１００は、ＬＥＤ列光源１０１、白色反射面１０２、ミラー面１０３が上記のような位置関係で配置され、ＬＥＤ列光源１０１と白色反射面１０２による配光分布（例えば、反射率７０％、ランバート拡散）が図４に例示したような分布になる。すなわち、第３面Ｐ３に沿ったＬＥＤ列光源１０１の光軸方向を０°、第３面Ｐ３の法線方向を９０°とした場合、ＬＥＤ列光源１０１と白色反射面１０２による配光分布における出力のピークは、１０°から２０°の範囲の近傍に位置する。
【００６０】
したがって、照明装置１００は、第１面Ｐ１に対して第３面Ｐ３が［０°＜θＷ＜９０°］を満たすようにＬＥＤ列光源１０１、白色反射面１０２を傾斜させた場合、ＬＥＤ列光源１０１と白色反射面１０２による配光分布が図５に線Ａ１で例示したような分布になる。すなわち、図５に線Ａ２で示したＬＥＤ列光源１０１と白色反射面１０２とが傾斜していない場合（すなわち、θＷ＝０°であり第１面Ｐ１と第３面Ｐ３とが平行である場合）や線Ａ３で示した白色反射面１０２を備えずＬＥＤ列光源１０１だけを傾斜させた場合と比較して、ＬＥＤ列光源１０１と白色反射面１０２とを上記のように傾斜させた場合、ＬＥＤ列光源１０１と白色反射面１０２との組合せにより読取範囲Ｗにて原稿Ｓに照射される光量が相対的に増加し、かつ、照度のピークを読取範囲Ｗの副走査方向中央側に移動させることができる。また、ＬＥＤ列光源１０１から直接ミラー面１０３へ入射する光量も相対的に増加する。
【００６１】
そして、白色反射面１０２自体は、上述したように第３面Ｐ３の法線方向に出力のピークが位置するランバート面である。これに対し、第１面Ｐ１に対して第２面Ｐ２と第３面Ｐ３とが［θＷ＜θＲ］を満たすように、ミラー面１０３を白色反射面１０２に対して原稿Ｓ側に相対的に傾斜させたことで、図６に示すように、ミラー面１０３における第３面Ｐ３の法線方向からの光の反射光は、ミラー面１０３側からπ／２−（２θＲ−θＷ）の入射角で必ず原稿Ｓ側の面に照射され、この結果、ミラー面１０３側からの反射光による照射を増加することができ、すなわち、ミラー面１０３による反射光の増光効果を促進することができる。この結果、副走査方向の照度分布を安定化させることができる。
【００６２】
図７は、本発明の実施形態１に係る照明装置及び画像読取装置の副走査方向における照度分布を示す図であり、横軸を副走査位置、縦軸を相対照度としている。本図中、線Ｂ１は、ＬＥＤ列光源１０１のみから原稿Ｓを直接照射した場合、線Ｂ２は、ＬＥＤ列光源１０１及び白色反射面１０２を傾斜させることでＬＥＤ列光源１０１と白色反射面１０２とにより原稿Ｓを直接照射した場合、線Ｂ３は、ＬＥＤ列光源１０１からミラー面１０３に直接照射される成分がミラー面１０３で反射し原稿Ｓを照射した場合、線Ｂ４は、ＬＥＤ列光源１０１から白色反射面１０２で反射し白色反射面１０２からミラー面１０３に照射される成分がミラー面１０３で反射し原稿Ｓを照射した場合、線Ｂ５は、線Ｂ２と線Ｂ３とをたした場合、線Ｂ６は、線Ｂ２と線Ｂ３と線Ｂ４とをたした場合を表している。
【００６３】
本図からも明らかなように、線Ｂ２の場合は、線Ｂ１の場合と比較すると読取範囲Ｗにおける照度が相対的に増えている。線Ｂ３の場合は、読取範囲Ｗのミラー面１０３側の照度がＬＥＤ列光源１０１側の照度と比較して相対的に増えている。線Ｂ４の場合は、読取範囲Ｗのミラー面１０３側の照度がＬＥＤ列光源１０１側の照度と比較して相対的に増えている。したがって、本実施形態の照明装置１００（本図では線Ｂ６の場合に相当）は、副走査方向の照度分布を安定化（均一化）しつつ読取範囲Ｗ全体での照射光量を増やすことができるので照明効率を向上させることができる。
【００６４】
以上で説明した本発明の実施形態に係る照明装置１００によれば、基板１０５の実装面１０６に複数のＬＥＤ１０７が配列されて実装され原稿Ｓに向けて光を照射するＬＥＤ列光源１０１と、実装面１０６を含む面にＬＥＤ列光源１０１の光軸と平行な平面状に設けられＬＥＤ列光源１０１からの光を反射する白色反射面１０２と、平面状に形成されＬＥＤ列光源１０１からの光及び白色反射面１０２からの反射光を反射するミラー面１０３とを備え、原稿Ｓからの反射光を結像させるレンズ２の光軸と、レンズ２により結像された原稿Ｓからの反射光を電気信号に変換し原稿Ｓの画像を読み取る複数の画素が主走査方向に配列されたラインセンサ３の画素列とを含む面を第１面Ｐ１とし、ミラー面１０３を含む面を第２面Ｐ２とし、白色反射面１０２を含む面を第３面Ｐ３とし、第１面Ｐ１を境界としてＬＥＤ列光源１０１及び白色反射面１０２が配置される一方側の空間領域を光源領域Ｔ１とし、第１面Ｐ１を境界としてミラー面１０３が配置される他方側の空間領域をミラー領域Ｔ２とし、第１面Ｐ１と第２面Ｐ２とがミラー領域Ｔ２側でかつ原稿Ｓ側でなす第１角度をθＲとし、第１面Ｐ１と第３面Ｐ３とが光源領域Ｔ１側でかつＬＥＤ列光源１０１側でなす第２角度をθＷとした場合に、ＬＥＤ列光源１０１及び白色反射面１０２とミラー面１０３とは、第３面Ｐ３が第２面Ｐ２より原稿Ｓ側で第１面Ｐ１と交差すると共に、０°＜θＷ＜θＲ＜９０°を満たすように配置される。
【００６５】
また、以上で説明した本発明の実施形態に係る画像読取装置１によれば、照明装置１００と、原稿Ｓからの反射光を結像させるレンズ２と、レンズ２により結像された原稿Ｓからの反射光を電気信号に変換し原稿Ｓの画像を読み取る複数の画素が主走査方向に配列されたラインセンサ３とを備える。
【００６６】
したがって、照明装置１００、画像読取装置１は、ＬＥＤ列光源１０１と白色反射面１０２とミラー面１０３とを上記のような所定の位置関係で配置することで、副走査方向の照度分布を安定化（均一化）しつつ読取範囲Ｗ全体での照射光量を増やすことができるので照明効率を向上させることができる。また、照明装置１００、画像読取装置１は、例えば、シリンドリカルレンズや拡散板等の透明な光学部品の透過率による光量の損失が少ないのでこの点でも照明効率を向上させることができる。そして、照明装置１００、画像読取装置１は、ＬＥＤ列光源１０１が副走査方向に対する読取範囲Ｗの片側にのみ配置されているので、例えば、ＬＥＤ列光源が両側に配置されている場合と比較して、装置全体の体格を小型化することができると共に、部品点数を削減することができ製造コストを低減することができる。この結果、照明装置１００、画像読取装置１は、装置の小型化と照明効率とを両立することができる。
【００６７】
さらに、以上で説明した本発明の実施形態に係る照明装置１００、画像読取装置１によれば、白色反射面１０２は、基板１０５の実装面１０６の白色レジストにより形成される。したがって、白色反射面１０２が基板１０５の製造に用いられるレジストから作製されるため、白色反射面１０２を作製するために要するコストの増加を抑制できる。
【００６８】
さらに、以上で説明した本発明の実施形態に係る照明装置１００、画像読取装置１によれば、ＬＥＤ列光源１０１及び白色反射面１０２とが設けられる光源側壁面体１１２と、ミラー面１０３が設けられるミラー側壁面体１１３と、ＬＥＤ列光源１０１により光を照射する側とは反対側で光源側壁面体１１２とミラー側壁面体１１３とを連結すると共に主走査方向と直交する副走査方向に対する中心が第１面Ｐ１に位置する範囲であって副走査方向に対してラインセンサ３が原稿Ｓの画像を読み取り可能な読取範囲Ｗに応じた開口部１１５が設けられた連結壁面体１１４とが一体に形成され、内部にＬＥＤ列光源１０１、白色反射面１０２及びミラー面１０３を収容する筐体１１１を備える。したがって、照明装置１００、画像読取装置１は、筐体１１１を光源側壁面体１１２とミラー側壁面体１１３と連結壁面体１１４とを全て一体に形成することで、ＬＥＤ列光源１０１、白色反射面１０２、ミラー面１０３を同一の部材に固定することができるので、その位置関係を適正な位置で確実に固定することができユニット化することができる。この結果、照明装置１００、画像読取装置１は、副走査方向の照度分布を確実に安定化（均一化）しつつ読取範囲Ｗ全体での照射光量を増やすことができる。
【００６９】
［実施形態２］
図８は、本発明の実施形態２に係る照明装置及び画像読取装置の構成を示す模式的構成図、図９は、本発明の実施形態２に係る照明装置及び画像読取装置のＬＥＤ列光源を配置する範囲を説明する模式図、図１０は、本発明の実施形態２に係る照明装置及び画像読取装置の副走査方向における照度分布を説明する図、図１１は、本発明の実施形態２に係る照明装置及び画像読取装置のＬＥＤ列光源による照射とミラー面の反射による照射とを模式的に示した図、図１２は、本発明の実施形態２に係る照明装置及び画像読取装置の副走査方向における照度分布の内訳を説明する図、図１３、図１４は、比較例に係る照明装置のＬＥＤ列光源による照射とミラー面の反射による照射とを模式的に示した図である。
【００７０】
実施形態２に係る照明装置及び画像読取装置は、実施形態１に係る照明装置及び画像読取装置と略同様の構成であるが、線状光源と白色反射面とミラー面との位置関係をさらに詳細に限定している点で実施形態１に係る照明装置及び画像読取装置とは異なる。その他、上述した実施形態と共通する構成、作用、効果については、重複した説明はできるだけ省略するとともに、同一の符号を付す。
【００７１】
図８に示すように、本実施形態に係る画像読取装置２０１は、照明装置２００を備える。本実施形態の照明装置２００は、実施形態１の照明装置１００（図１参照）で説明したＬＥＤ列光源１０１、白色反射面１０２、ミラー面１０３との位置関係がさらに詳細に限定されている。
【００７２】
まずここでは、ＬＥＤ列光源１０１、白色反射面１０２、ミラー面１０３の位置関係を説明するために、実施形態１の照明装置１００（図１参照）で説明した前提条件に加えてさらに以下の前提条件を設定する。
【００７３】
ガラス板１０４の表面１０９、１１０と直交する方向に沿った厚さ、すなわち、レンズ２（図１参照）の光軸方向に沿った厚さをｔとする。
【００７４】
ガラス板１０４の屈折率をｎとする。
【００７５】
主走査方向と直交する副走査方向に対する中心位置が第１面Ｐ１上に位置する範囲であって副走査方向に対してラインセンサ３が原稿Ｓの画像を読み取り可能な範囲を読取範囲Ｗとする。
【００７６】
読取範囲ＷのＬＥＤ列光源１０１側の境界を含み第１面Ｐ１と平行な面を第４面Ｐ４とする。
【００７７】
ガラス板１０４の原稿Ｓ側の表面１１０からＬＥＤ列光源１０１側に（１−１／ｎ）・ｔの位置にあり表面１０９、１１０と平行かつ第１面Ｐ１と直交する面を第５面Ｐ５とする。この第５面Ｐ５は、ガラス板１０４の屈折率ｎ等を考慮した場合の仮想の照射面（原稿面）に相当する。
【００７８】
第４面Ｐ４と第５面Ｐ５との交線とＬＥＤ列光源１０１の光源中心とを含む面を第６面Ｐ６とする。
【００７９】
第１面Ｐ１と第５面Ｐ５との交線とＬＥＤ列光源１０１の光源中心とを含む面を第７面Ｐ７とする。
【００８０】
読取範囲Ｗのミラー面１０３側の境界を含み第１面Ｐ１と平行な面を第８面Ｐ８とする。
【００８１】
第１面Ｐ１と第６面Ｐ６とが第４面Ｐ４側でかつＬＥＤ列光源１０１側でなす第３角度をθαとする。
【００８２】
第１面Ｐ１と第７面Ｐ７とが第４面Ｐ４側でかつＬＥＤ列光源１０１側でなす第４角度をθβとする。
【００８３】
第１面Ｐ１と第５面Ｐ５との交線からＬＥＤ列光源１０１の光源中心までの距離をＬ０とする。
【００８４】
第２面Ｐ２と第８面Ｐ８との交線と、第２面Ｐ２とガラス板１０４のＬＥＤ列光源１０１側の表面１０９との交線との距離をＬ１とする。
【００８５】
第２面Ｐ２と第８面Ｐ８との交線と、第２面Ｐ２とガラス板１０４のＬＥＤ列光源１０１側の表面１０９との交線とに直交する方向に沿ったミラー面１０３の長さをＬＭとする。
【００８６】
そして、ＬＥＤ列光源１０１及び白色反射面１０２と、ミラー面１０３とは、上記のように設定された前提条件のもとで、次式（２）、（３）、（４）、（５）、（６）を満たすように配置される。
１５°≦θα  ・・・  （２）
３０°≧θβ  ・・・  （３）
０．６＜Ｌ１／Ｌ０・ｃｏｓθＲ／ｃｏｓθβ＜１．０  ・・・  （４）
１０°≦θＲ≦３０°  ・・・  （５）
ＬＭ≦Ｌ１  ・・・  （６）
【００８７】
本実施形態の照明装置２００は、ＬＥＤ列光源１０１、白色反射面１０２、ミラー面１０３が上記のような位置関係で配置される。
【００８８】
照明装置２００は、第６面Ｐ６と第７面Ｐ７が［１５°≦θα］、［３０°≧θβ］を満たすようにＬＥＤ列光源１０１を配置した場合、言い換えれば、ＬＥＤ列光源１０１は、図９に示すように、［１５°≦θα］と［３０°≧θβ］とに基づいて第６面Ｐ６と第７面Ｐ７とにより規定される配置範囲Ｔ３内に配置されることとなる。
【００８９】
ＬＥＤ列光源１０１は、［１５°≦θα］に応じて規定される配置範囲Ｔ３内に配置されることで、例えば、原稿Ｓが光沢のあるものであった場合に、原稿Ｓの傾きによりＬＥＤ列光源１０１の照射光の原稿Ｓでの鏡面反射成分が直接ラインセンサ３に入ることを防止することができる。例えば、原稿Ｓの法線が第１面Ｐ１に対して角度θＤの傾きを有していた場合、２×θＤ反射角が増加する。通常、ＯＡ機器等の縮小光学レンズでは原稿のある一点から見た入射瞳（物体側から見た絞りの像）の角度をθＨとすると、２×θＤ＋θＨ＜θαが好適な条件である。例えば、θＤ＝５°、θＨ≦２°とすると上記条件［１５°≦θα］を満たすことがわかる。ここでは、読取範囲Ｗにおいてガラス板１０４のＬＥＤ列光源１０１側の表面１０９と原稿Ｓ側の表面１１０の範囲全てにおいて、ＬＥＤ列光源１０１からの入射角はθαになっている。
【００９０】
また、ＬＥＤ列光源１０１は、［３０°≧θβ］に応じて規定される配置範囲Ｔ３内に配置されることで、所定の照明効率（光量）を確保することができる。
【００９１】
図１０は、Ｌ０＝１５ｍｍ、Ｗ／２＝２．０ｍｍとして、θβを１５°≦θβ≦６０°の間で５°間隔で変更した場合に、ＬＥＤ列光源１０１から直接原稿面に照射する照射光の副走査方向における相対照度を示す。本図中、線Ｃ１はθβ＝１５°の場合、線Ｃ２はθβ＝２０°の場合、線Ｃ３はθβ＝２５°の場合、線Ｃ４はθβ＝３０°の場合、線Ｃ５はθβ＝３５°の場合、線Ｃ６はθβ＝４０°の場合、線Ｃ７はθβ＝４５°の場合、線Ｃ８はθβ＝５０°の場合、線Ｃ９はθβ＝５５°の場合、線Ｃ１０はθβ＝６０°の場合を示す。本図からも明らかなように、ＬＥＤ列光源１０１から直接原稿面に照射する照射光の光量は、θβが大きくなるほど相対的に少なくなり、θβが小さくなるほど相対的に多くなる。本実施形態では、ＬＥＤ列光源１０１による十分な照明効率（光量）の確保とラインセンサ３の副走査方向の読取範囲Ｗとを勘案して［３０°≧θβ］としている。
【００９２】
そして、照明装置２００は、ミラー面１０３が［０．６＜Ｌ１／Ｌ０・ｃｏｓθＲ／ｃｏｓθβ＜１．０］、［１０°≦θＲ≦３０°］、［ＬＭ≦Ｌ１］を満たすように配置されることで、上記のような配置範囲Ｔ３内で配置されるＬＥＤ列光源１０１に対して、ミラー面１０３を適正な位置に配置することができる。言い換えれば、ミラー面１０３は、ＬＥＤ列光源１０１が上記のような配置範囲Ｔ３内に配置された場合、ミラー面１０３の長さＬＭや第１面Ｐ１と第２面Ｐ２とがなす第１角度θＲが［０．６＜Ｌ１／Ｌ０・ｃｏｓθＲ／ｃｏｓθβ＜１．０］、［１０°≦θＲ≦３０°］、［ＬＭ≦Ｌ１］の範囲にある場合に有効に作用する。すなわち、ミラー面１０３は、ＬＥＤ列光源１０１が上記のような配置範囲Ｔ３内に配置された場合、ミラー面１０３の長さＬＭや第１面Ｐ１と第２面Ｐ２とがなす第１角度θＲが［０．６＜Ｌ１／Ｌ０・ｃｏｓθＲ／ｃｏｓθβ＜１．０］、［１０°≦θＲ≦３０°］、［ＬＭ≦Ｌ１］を満たすことで、適正に副走査方向の照度分布を安定化（均一化）しつつ読取範囲Ｗ全体での照射光量を増やすことができ、照明効率を向上させることができる。なお、ここでは、ｔ＜＜Ｌ０とし、ＬＭ＝Ｌ１とした場合、式（４）の分母であるＬ０・ｃｏｓθβは、レンズ２（図１参照）の光軸方向に沿った第５面Ｐ５からＬＥＤ列光源１０１の光源中心までの光源高さＬ２に相当し、式（４）の分子であるＬ１・ｃｏｓθＲは、レンズ２（図１参照）の光軸方向に沿った第５面Ｐ５からミラー面１０３の上端（第５面Ｐ５から離間した側の端）までのミラー面高さＬ３に相当する。
【００９３】
図１１は、ＬＥＤ列光源１０１が上記のような配置範囲Ｔ３内に配置され、ミラー面１０３の長さＬＭや第１面Ｐ１と第２面Ｐ２とがなす第１角度θＲが［０．６＜Ｌ１／Ｌ０・ｃｏｓθＲ／ｃｏｓθβ＜１．０］、［１０°≦θＲ≦３０°］、［ＬＭ≦Ｌ１］の範囲になるようにミラー面１０３を配置した場合のＬＥＤ列光源１０１による直接照射とミラー面１０３の反射による照射とを模式的に示した図である。
【００９４】
本図に示すように、ミラー面１０３は、ＬＥＤ列光源１０１の位置に対して、第２面Ｐ２を基準とした面対称な位置にＬＥＤ列光源１０１の虚像１０１’が位置する。このため、照明装置２００は、ＬＥＤ列光源１０１による直接照射とミラー面１０３の反射による照射とによって、第１面Ｐ１の両側から拡散光源で読取範囲Ｗ（言い換えれば、原稿Ｓ）が照射されることになる。
【００９５】
図１２は、本発明の実施形態２に係る照明装置及び画像読取装置の副走査方向における照度分布の内訳を説明する図であり、横軸を副走査位置、縦軸を相対照度としている。本図中、線Ｄ１は、ＬＥＤ列光源１０１による直接照射における副走査方向照度分布を示し、線Ｄ２は、ミラー面１０３の反射による照射における副走査方向照度分布を示し、線Ｄ３は、ＬＥＤ列光源１０１による直接照射とミラー面１０３の反射による照射の合計の照射における副走査方向照度分布を示す。本図からも明らかなように、線Ｄ１の場合は、読取範囲ＷのＬＥＤ列光源１０１側の照度がミラー面１０３側の照度と比較して相対的に増えている一方、線Ｄ２の場合は、読取範囲Ｗのミラー面１０３側の照度がＬＥＤ列光源１０１側の照度と比較して相対的に増えている。この結果、ＬＥＤ列光源１０１による直接照射とミラー面１０３の反射による照射とを合計した線Ｄ３の場合は、その勾配が線Ｄ１の場合と比較して相対的に小さくなる。すなわち、副走査方向の照度分布が安定化（均一化）しつつ読取範囲Ｗ全体での照射光量が増している。
【００９６】
なお、図１３、図１４は、比較例に係る照明装置のＬＥＤ列光源による照射とミラー面の反射による照射とを模式的に示した図であり、図１３は、１．０≦Ｌ１／Ｌ０・ｃｏｓθＲ／ｃｏｓθβを満たすようミラー面０１０３を配置した場合（言い換えれば、光源高さＬ２に対してミラー面高さＬ３が高すぎる場合）、図１４は、Ｌ１／Ｌ０・ｃｏｓθＲ／ｃｏｓθβ≦０．６を満たすようミラー面０１０３を配置した場合（言い換えれば、光源高さＬ２に対してミラー面高さＬ３が低すぎる場合）を示す。本図からも明らかなように、図１３、図１４に示す比較例の場合、副走査方向の照度分布が不均一となる傾向にある。つまり、Ｌ１／Ｌ０・ｃｏｓθＲ／ｃｏｓθβの範囲、言い換えれば、光源高さＬ２に対するミラー面高さＬ３には、所定範囲の適正値があることを示しており、すなわち、上記の［０．６＜Ｌ１／Ｌ０・ｃｏｓθＲ／ｃｏｓθβ＜１．０］の範囲が適正であることを示している。
【００９７】
以上で説明した本発明の実施形態に係る照明装置２００、画像読取装置２０１によれば、平板状の透明材料により形成されＬＥＤ列光源１０１と原稿Ｓとの間に配置され、ＬＥＤ列光源１０１側と原稿Ｓ側の両表面１０９、１１０が第１面Ｐ１と直交するガラス板１０４を備え、ガラス板１０４の表面１０９、１１０と直交する方向に沿った厚さをｔとし、ガラス板１０４の屈折率をｎとし、主走査方向と直交する副走査方向に対する中心位置が第１面Ｐ１上に位置する範囲であって副走査方向に対してラインセンサ３が原稿Ｓの画像を読み取り可能な範囲を読取範囲Ｗとし、読取範囲ＷのＬＥＤ列光源１０１側の境界を含み第１面Ｐ１と平行な面を第４面Ｐ４とし、ガラス板１０４の原稿Ｓ側の表面１１０からＬＥＤ列光源１０１側に（１−１／ｎ）・ｔの位置にあり表面１１０と平行かつ第１面Ｐ１と直交する面を第５面Ｐ５とし、第４面Ｐ４と第５面Ｐ５との交線とＬＥＤ列光源１０１の光源中心とを含む面を第６面Ｐ６とし、第１面Ｐ１と第５面Ｐ５との交線とＬＥＤ列光源１０１の光源中心とを含む面を第７面Ｐ７とし、読取範囲Ｗのミラー面１０３側の境界を含み第１面Ｐ１と平行な面を第８面Ｐ８とし、第１面Ｐ１と第６面Ｐ６とが第４面Ｐ４側でかつＬＥＤ列光源１０１側でなす第３角度をθαとし、第１面Ｐ１と第７面Ｐ７とが第４面Ｐ４側でかつＬＥＤ列光源１０１側でなす第４角度をθβとし、第１面Ｐ１と第５面Ｐ５との交線からＬＥＤ列光源１０１の光源中心までの距離をＬ０とし、第２面Ｐ２と第８面Ｐ８との交線と、第２面Ｐ２とガラス板１０４のＬＥＤ列光源１０１側の表面１０９との交線との距離をＬ１とし、第２面Ｐ２と第８面Ｐ８との交線と、第２面Ｐ２とガラス板１０４のＬＥＤ列光源１０１側の表面１０９との交線とに直交する方向に沿ったミラー面１０３の長さをＬＭとした場合に、ＬＥＤ列光源１０１及び白色反射面１０２とミラー面１０３とは、１５°≦θα、３０°≧θβ、０．６＜Ｌ１／Ｌ０・ｃｏｓθＲ／ｃｏｓθβ＜１．０、１０°≦θＲ≦３０°及びＬＭ≦Ｌ１を満たすように配置される。
【００９８】
したがって、ＬＥＤ列光源１０１及び白色反射面１０２とミラー面１０３とは、１５°≦θα、３０°≧θβ、０．６＜Ｌ１／Ｌ０・ｃｏｓθＲ／ｃｏｓθβ＜１．０、１０°≦θＲ≦３０°及びＬＭ≦Ｌ１を満たすように配置されることから、照明装置２００、画像読取装置２０１は、副走査方向の照度分布をさらに安定化（均一化）しつつ読取範囲Ｗ全体での照射光量をさらに増やすことができ、また、深い照明深度を確保することができる。照明装置２００、画像読取装置２０１は、深い照明深度を確保することができることから、ガラス板１０４の表面１１０から原稿Ｓの表面までの距離を「原稿高さ」とした場合に、原稿面（照射面）にて十分な照度（光量）を確保できる原稿高さを相対的に高くすることができる。つまり、原稿高さが高くなる側に対する光量の低下、言い換えれば、照度減衰を小さくすることができる。
【００９９】
［実施形態３］
図１５は、本発明の実施形態３に係る照明装置及び画像読取装置が備える白色反射面を説明する概略断面図である。実施形態３に係る照明装置及び画像読取装置は、実施形態１に係る照明装置及び画像読取装置と略同様の構成であるが、白色反射面の構成が実施形態１に係る照明装置及び画像読取装置とは異なる。その他、上述した実施形態と共通する構成、作用、効果については、重複した説明はできるだけ省略するとともに、同一の符号を付す。
【０１００】
図１５に示すように、本実施形態に係る画像読取装置３０１は、照明装置３００を備え、この照明装置３００は、白色反射面３０２を備える。
【０１０１】
本実施形態の白色反射面３０２は、基板１０５の実装面１０６に設けられた樹脂製の白色反射シート材、例えば、液晶テレビのバックライトの用途等で用いられる樹脂製の白色反射シート材により形成される。白色反射面３０２として白色反射シート材を用いた場合、樹脂の白色反射シート材は拡散性が高いことから、この白色反射面３０２は、例えば９０％以上の反射率を確保することができる。つまり、例えば、実施形態１で説明したように、白色反射面１０２（図２参照）を実装面１０６の白色レジストにより形成した場合、一般的な白色レジストは反射率が６０％〜７０％であるため、本実施形態の白色反射面３０２は、実施形態１の白色反射面１０２（図２参照）と比較して、相対的に反射率を向上することができる。
【０１０２】
以上で説明した本発明の実施形態に係る照明装置３００、画像読取装置３０１によれば、白色反射面３０２は、基板１０５の実装面１０６に設けられた樹脂製の白色反射シート材により形成されることから、相対的に高い反射率を確保することができるので、照明装置３００、画像読取装置３０１は、副走査方向の照度分布をさらに安定化（均一化）しつつ読取範囲Ｗ全体での照射光量をさらに増やすことができる。
【０１０３】
［実施形態４］
図１６は、本発明の実施形態４に係る照明装置及び画像読取装置が備える白色反射面を説明する概略断面図である。実施形態４に係る照明装置及び画像読取装置は、実施形態１に係る照明装置及び画像読取装置と略同様の構成であるが、白色反射面の構成が実施形態１に係る照明装置及び画像読取装置とは異なる。その他、上述した実施形態と共通する構成、作用、効果については、重複した説明はできるだけ省略するとともに、同一の符号を付す。
【０１０４】
図１６に示すように、本実施形態に係る画像読取装置４０１は、照明装置４００を備え、この照明装置４００は、白色反射面４０２を備える。
【０１０５】
本実施形態の白色反射面４０２は、実施形態３の白色反射面３０２（図１５参照）と同様に樹脂製の白色反射シート材により形成される。
【０１０６】
ここで、本実施形態の光源側壁面体１１２は、基板設置溝４１２ａとシート設置溝４１２ｂとを有する。基板設置溝４１２ａとシート設置溝４１２ｂとは、ともに光源側壁面体１１２に矩形凹部状の溝部として形成される。
【０１０７】
基板設置溝４１２ａは、光源側壁面体１１２の基板設置溝４１２ａが設けられる面の法線方向に沿った溝深さが基板１０５の厚さと同等の深さに設定される。基板１０５は、この光源側壁面体１１２の基板設置溝４１２ａ内に設けられる。したがって、基板１０５の表面と光源側壁面体１１２の表面とは、同一平面上に位置することとなりすなわち面一となる。
【０１０８】
シート設置溝４１２ｂは、基板設置溝４１２ａと連続して形成される。シート設置溝４１２ｂは、ＬＥＤ列光源１０１による光の照射側で基板設置溝４１２ａと連続して形成される。シート設置溝４１２ｂは、光源側壁面体１１２のシート設置溝４１２ｂが設けられる面の法線方向に沿った溝深さが白色反射面４０２を形成する白色反射シート材の厚さと同等の深さに設定される。白色反射面４０２を形成する白色反射シート材は、この光源側壁面体１１２のシート設置溝４１２ｂ内に設けられる。したがって、白色反射面４０２を形成する白色反射シート材の表面と光源側壁面体１１２の表面とは、同一平面上に位置することとなりすなわち面一となる。つまり、白色反射面４０２は、その表面（拡散反射面）が実装面１０６を含む面に設けられることとなり、すなわち、実装面１０６と面一となる。
【０１０９】
なお、シート設置溝４１２ｂは、溝深さが白色反射面４０２を形成する白色反射シート材の厚さに、白色反射シート材をシート設置溝４１２ｂ底部に接着する接着材の厚さを加えた厚さと同等の深さに設定されてもよい。この場合、白色反射面４０２の表面（拡散反射面）と実装面１０６とをさらに精度良く面一とすることができる。
【０１１０】
以上で説明した本発明の実施形態に係る照明装置４００、画像読取装置４０１によれば、基板１０５は、この基板１０５の厚さと同等の深さに設定された基板設置溝４１２ａを有する光源側壁面体１１２のこの基板設置溝４１２ａに設けられ、白色反射面４０２は、光源側壁面体１１２において基板設置溝４１２ａとＬＥＤ列光源１０１による光の照射側で連続して形成されるシート設置溝４１２ｂに設けられる樹脂製の白色反射シート材により形成され、シート設置溝４１２ｂは、白色反射面４０２を形成する白色反射シート材の厚さと同等の深さに設定される。したがって、白色反射面４０２の表面（拡散反射面）と実装面１０６とを面一とすることができることから、ＬＥＤ列光源１０１からの照射光の一部が白色反射面４０２を形成する白色反射シート材の端面によって遮られてしまうことを防止することができるので、白色反射面４０２により良好にＬＥＤ列光源１０１からの照射光を反射することができ、この結果、照明装置４００、画像読取装置４０１は、副走査方向の照度分布をさらに安定化（均一化）しつつ読取範囲Ｗ全体での照射光量をさらに増やすことができる。
【０１１１】
なお、例えば、光源側壁面体１１２にシート設置溝４１２ｂを設けずに、光源側壁面体１１２において基板設置溝４１２ａとＬＥＤ列光源１０１による光の照射側で連続する部分に白色塗装を施すことで白色反射面を形成した場合であっても、白色反射面の表面（拡散反射面）と実装面１０６とを面一とすることができ、副走査方向の照度分布をさらに安定化（均一化）しつつ読取範囲Ｗ全体での照射光量をさらに増やすことができる。
【０１１２】
［実施形態５］
図１７は、本発明の実施形態５に係る照明装置及び画像読取装置が備える筐体を説明する概略断面図である。実施形態５に係る照明装置及び画像読取装置は、実施形態１に係る照明装置及び画像読取装置と略同様の構成であるが、筐体の構成が実施形態１に係る照明装置及び画像読取装置とは異なる。その他、上述した実施形態と共通する構成、作用、効果については、重複した説明はできるだけ省略するとともに、同一の符号を付す。
【０１１３】
図１７に示すように、本実施形態に係る画像読取装置５０１は、照明装置５００を備え、この照明装置５００は、筐体５１１を備える。
【０１１４】
本実施形態の筐体５１１は、光源側壁面体１１２と、ミラー側壁面体１１３と、連結壁面体１１４と、不図示の端面壁面体とに加えて、さらに、取付部５１６とを含んで構成される。
【０１１５】
取付部５１６は、光源側壁面体１１２とミラー側壁面体１１３とにそれぞれ設けられる。取付部５１６は、光源側壁面体１１２、ミラー側壁面体１１３のＬＥＤ列光源１０１により光を照射する側の端部に設けられる。取付部５１６は、主走査方向に沿って延設される矩形板状に光源側壁面体１１２、ミラー側壁面体１１３と一体で形成される。
【０１１６】
そして、ガラス板１０４は、光源側壁面体１１２、ミラー側壁面体１１３に設けられた取付部５１６に取り付けられる。
【０１１７】
以上で説明した本発明の実施形態に係る照明装置５００、画像読取装置５０１によれば、光源側壁面体１１２とミラー側壁面体１１３とは、ＬＥＤ列光源１０１により光を照射する側の端部にＬＥＤ列光源１０１と原稿Ｓとの間に配置されるガラス板１０４の取付部５１６を有する。したがって、ガラス板１０４は、光源側壁面体１１２とミラー側壁面体１１３と連結壁面体１１４とが一体に形成される筐体５１１の取付部５１６に取り付けられることから、ＬＥＤ列光源１０１、白色反射面１０２、ミラー面１０３に加えてガラス板１０４も同一の部材に固定することができるので、その位置関係を適正な位置で確実に固定することができユニット化することができる。この結果、照明装置５００、画像読取装置５０１は、副走査方向の照度分布を確実に安定化（均一化）しつつ読取範囲Ｗ全体での照射光量を増やすことができる。
【０１１８】
なお、不図示の端面壁面体にも同様にガラス板１０４の取付部を設けガラス板１０４の４辺を確実に固定することで、筐体５１１の防塵性能も向上することができ、これにより、例えば、ガラス板１０４に紙粉などの塵が付着することを防止することができる。この結果、ラインセンサ３が読み取った画像に塵等によって縦スジが発生することを確実に防止することができる。
【０１１９】
［実施形態６］
図１８は、本発明の実施形態６に係る照明装置及び画像読取装置が備える筐体を説明する概略断面図である。実施形態６に係る照明装置及び画像読取装置は、実施形態５に係る照明装置及び画像読取装置と略同様の構成であるが、白色反射面、ミラー面の構成が実施形態５に係る照明装置及び画像読取装置とは異なる。その他、上述した実施形態と共通する構成、作用、効果については、重複した説明はできるだけ省略するとともに、同一の符号を付す。
【０１２０】
図１８に示すように、本実施形態に係る画像読取装置６０１は、照明装置６００を備え、この照明装置６００は、白色反射面６０２、ミラー面６０３を備える。
【０１２１】
ここで、本実施形態の照明装置６００が備える筐体６１１は、実施形態４の筐体１１１と同様に光源側壁面体１１２に基板設置溝６１２ａが設けられており、基板１０５は、この光源側壁面体１１２の基板設置溝６１２ａ内に設けられる。
【０１２２】
白色反射面６０２は、光源側壁面体１１２において基板設置溝６１２ａとＬＥＤ列光源１０１による光の照射側で連続する部分に設けられた樹脂製の白色反射シート材により形成される。
【０１２３】
ミラー面６０３は、樹脂部材に金属を蒸着したミラーシート材により形成される。ミラー面６０３を形成するミラーシート材は、ミラー側壁面体１１３に設けられる。
【０１２４】
以上で説明した本発明の実施形態に係る照明装置６００、画像読取装置６０１によれば、白色反射面６０２は、光源側壁面体１１２において基板設置溝６１２ａとＬＥＤ列光源１０１による光の照射側で連続する部分に設けられた樹脂製の白色反射シート材により形成され、ミラー面６０３は、樹脂部材に金属を蒸着したミラーシート材により形成される。したがって、例えば、実施形態１のようにミラー面１０３を矩形板状のミラー部材１０８の表面に設ける場合と比較して、ミラー面６０３が形成される部分の厚みを薄くすることができるので、照明装置６００、画像読取装置６０１全体をさらに小型化することができる。
【０１２５】
［実施形態７］
図１９は、本発明の実施形態７に係る照明装置及び画像読取装置が備える筐体を説明する概略断面図である。実施形態７に係る照明装置及び画像読取装置は、実施形態６に係る照明装置及び画像読取装置と略同様の構成であるが、白色反射面、ミラー面、筐体の構成が実施形態６に係る照明装置及び画像読取装置とは異なる。その他、上述した実施形態と共通する構成、作用、効果については、重複した説明はできるだけ省略するとともに、同一の符号を付す。
【０１２６】
図１９に示すように、本実施形態に係る画像読取装置７０１は、照明装置７００を備え、この照明装置７００は、白色反射面７０２、ミラー面７０３、筐体７１１を備える。
【０１２７】
本実施形態の筐体７１１は、光源側壁面体１１２と、ミラー側壁面体１１３と、連結壁面体１１４と、不図示の端面壁面体と、取付部５１６とが全て白色の樹脂材料により一体に形成される。
【０１２８】
そして、本実施形態の白色反射面７０２は、光源側壁面体１１２により形成される。すなわち、本実施形態の白色反射面７０２は、白色樹脂製の光源側壁面体１１２の表面がそのまま拡散反射面として用いられる。
【０１２９】
また、本実施形態のミラー面７０３は、ミラー側壁面体１１３に直接金属を蒸着して形成される。
【０１３０】
以上で説明した本発明の実施形態に係る照明装置７００、画像読取装置７０１によれば、ＬＥＤ列光源１０１が設けられる光源側壁面体１１２と、ミラー面７０３が設けられるミラー側壁面体１１３と、ＬＥＤ列光源１０１により光を照射する側とは反対側で光源側壁面体１１２とミラー側壁面体１１３とを連結すると共に主走査方向と直交する副走査方向に対する中心が第１面Ｐ１に位置する範囲であって副走査方向に対してラインセンサ３が原稿Ｓの画像を読み取り可能な読取範囲Ｗに応じた開口部１１５が設けられた連結壁面体１１４とが白色の樹脂材料により一体に形成され、内部にＬＥＤ列光源１０１、白色反射面７０２及びミラー面７０３を収容する筐体７１１を備え、白色反射面７０２は、光源側壁面体１１２により形成され、ミラー面７０３は、ミラー側壁面体１１３に金属を蒸着して形成される。したがって、基板１０５とガラス板１０４以外の部品が一体化されているため、部品点数をさらに削減することができ製造コストをさらに低減することができると共に、装置全体の体格をさらに小型化することができる。
【０１３１】
なお、上述した本発明の実施形態に係る照明装置及び画像読取装置は、上述した実施形態に限定されず、特許請求の範囲に記載された範囲で種々の変更が可能である。本発明の実施形態に係る照明装置、画像読取装置は、以上で説明した実施形態を複数組み合わせることで構成してもよい。
【０１３２】
以上の説明では、筐体は、光源側壁面体とミラー側壁面体と連結壁面体とが全て一体に形成されるものとして説明したが、これに限らず、線状光源と白色反射面とミラー面との位置関係を適正に固定することができるのであれば必ずしも一体でなくてもよい。
【０１３３】
［実施例］
図２０は、本発明の実施例に係る照明装置及び画像読取装置の原稿高さに応じた副走査方向における照度分布を示す図、図２１は、本発明の実施例に係る照明装置及び画像読取装置の副走査位置に応じた照度減衰（照明深度）を示す図である。以下、本図を参照して本発明の実施例を説明する。
【０１３４】
ここでは、実施形態２で説明した照明装置２００、画像読取装置２０１において、Ｗ／２＝２ｍｍ、ｔ＝２．０ｍｍ、ｎ＝１．５、Ｌ０＝１１．２４ｍｍ、θＷ＝１０°、θα＝１９．７°、θβ＝２９．３°、θＲ＝１８°、Ｌ１＝９．７ｍｍ、ＬＭ＝９．７ｍｍ、Ｌ１／Ｌ０・ｃｏｓθＲ／ｃｏｓθβ＝０．８７、となるようにＬＥＤ列光源１０１と白色反射面１０２とミラー面１０３を配置し、原稿高さに応じた副走査方向における照度分布及び副走査位置に応じた照度減衰（照明深度）を測定した。
【０１３５】
図２０は、横軸を副走査位置とし、縦軸を相対照度とすると共に、線Ｅ１は原稿高さ（ガラス板１０４の表面１１０から原稿Ｓの表面までの距離）＝０．０ｍｍの場合、線Ｅ２は原稿高さ＝０．５ｍｍの場合、線Ｅ３は原稿高さ＝１．０ｍｍの場合、線Ｅ４は原稿高さ＝１．５ｍｍの場合、線Ｅ５は原稿高さ＝２．０ｍｍの場合、線Ｅ６は原稿高さ＝２．５ｍｍの場合、線Ｅ７は原稿高さ＝３．０ｍｍの場合、線Ｅ８は原稿高さ＝３．５ｍｍの場合を示す。
【０１３６】
図２１は、横軸を原稿高さとし、縦軸を相対照度とすると共に、線Ｆ１は副走査位置が読取範囲Ｗの中心位置（すなわち第１面Ｐ１上）である場合、線Ｆ２は副走査位置が読取範囲Ｗの中心位置からミラー面１０３側に０．４ｍｍずれた位置である場合、線Ｆ３は副走査位置が読取範囲Ｗの中心位置からミラー面１０３側に０．８ｍｍずれた位置である場合、線Ｆ４は副走査位置が読取範囲Ｗの中心位置からミラー面１０３側に１．２ｍｍずれた位置である場合、線Ｆ５は副走査位置が読取範囲Ｗの中心位置からミラー面１０３側に１．６ｍｍずれた位置である場合、線Ｆ６は副走査位置が読取範囲Ｗの中心位置からミラー面１０３側に２．０ｍｍずれた位置である場合、線Ｆ−２は副走査位置が読取範囲Ｗの中心位置からＬＥＤ列光源１０１側に０．４ｍｍずれた位置である場合、線Ｆ−３は副走査位置が読取範囲Ｗの中心位置からＬＥＤ列光源１０１側に０．８ｍｍずれた位置である場合、線Ｆ−４は副走査位置が読取範囲Ｗの中心位置からＬＥＤ列光源１０１側に１．２ｍｍずれた位置である場合、線Ｆ−５は副走査位置が読取範囲Ｗの中心位置からＬＥＤ列光源１０１側に１．６ｍｍずれた位置である場合、線Ｆ−６は副走査位置が読取範囲Ｗの中心位置からＬＥＤ列光源１０１側に２．０ｍｍずれた位置である場合を示す。
【０１３７】
図２０、図２１からも明らかなように、本実施例の照明装置、画像読取装置は、ＬＥＤ列光源１０１及び白色反射面１０２とミラー面１０３が０°＜θＷ＜θＲ＜９０°を満たすと共に、１５°≦θα、３０°≧θβ、０．６＜Ｌ１／Ｌ０・ｃｏｓθＲ／ｃｏｓθβ＜１．０、１０°≦θＲ≦３０°及びＬＭ≦Ｌ１を満たすように配置されていることで、副走査方向の照度分布を適正に安定化（均一化）しつつ読取範囲Ｗ全体での照射光量を十分に確保することができており、また、十分な照明深度を確保することができている。
【産業上の利用可能性】
【０１３８】
以上のように、本発明に係る照明装置及び画像読取装置は、装置の小型化と照明効率とを両立することができるものであり、種々の照明装置及び画像読取装置に適用して好適である。 
【図面の簡単な説明】
【０１３９】
【図１】本発明の実施形態１に係る照明装置及び画像読取装置の構成を示す模式的構成図である。
【図２】本発明の実施形態１に係る照明装置及び画像読取装置が備える白色反射面を説明する概略断面図である。
【図３】本発明の実施形態１に係る照明装置及び画像読取装置が備える筐体を説明する概略断面図である。
【図４】本発明の実施形態１に係る照明装置及び画像読取装置のＬＥＤ列光源と白色反射面による配光分布特性を説明する図である。
【図５】本発明の実施形態１に係る照明装置及び画像読取装置のＬＥＤ列光源と白色反射面とを傾斜させた場合の配光分布特性を説明する図である。
【図６】本発明の実施形態１に係る照明装置及び画像読取装置のミラー面における反射を説明する模式図である。
【図７】本発明の実施形態１に係る照明装置及び画像読取装置の副走査方向における照度分布を説明する図である。
【図８】本発明の実施形態２に係る照明装置及び画像読取装置の構成を示す模式的構成図である。
【図９】本発明の実施形態２に係る照明装置及び画像読取装置のＬＥＤ列光源を配置する範囲を説明する模式図である。
【図１０】本発明の実施形態２に係る照明装置及び画像読取装置の副走査方向における照度分布を説明する図である。
【図１１】本発明の実施形態２に係る照明装置及び画像読取装置のＬＥＤ列光源による照射とミラー面の反射による照射とを模式的に示した図である。
【図１２】本発明の実施形態２に係る照明装置及び画像読取装置の副走査方向における照度分布の内訳を説明する図である。
【図１３】比較例に係る照明装置のＬＥＤ列光源による照射とミラー面の反射による照射とを模式的に示した図である。
【図１４】比較例に係る照明装置のＬＥＤ列光源による照射とミラー面の反射による照射とを模式的に示した図である。
【図１５】本発明の実施形態３に係る照明装置及び画像読取装置が備える白色反射面を説明する概略断面図である。
【図１６】本発明の実施形態４に係る照明装置及び画像読取装置が備える白色反射面を説明する概略断面図である。
【図１７】本発明の実施形態５に係る照明装置及び画像読取装置が備える筐体を説明する概略断面図である。
【図１８】本発明の実施形態６に係る照明装置及び画像読取装置が備える筐体を説明する概略断面図である。
【図１９】本発明の実施形態７に係る照明装置及び画像読取装置が備える筐体を説明する概略断面図である。
【図２０】本発明の実施例に係る照明装置及び画像読取装置の原稿高さに応じた副走査方向における照度分布を示す図である。
【図２１】本発明の実施例に係る照明装置及び画像読取装置の副走査位置に応じた照度減衰（照明深度）を示す図である。
【符号の説明】
【０１４０】
１、２０１、３０１、４０１、５０１、６０１、７０１    画像読取装置
２    レンズ（結像光学系）
３    ラインセンサ
１００、２００、３００、４００、５００、６００、７００    照明装置
１０１    ＬＥＤ列光源（線状光源）
１０２、３０２、４０２、６０２、７０２    白色反射面
１０３、６０３、７０３    ミラー面
１０４    ガラス板（透明部材）
１０５    基板
１０６    実装面
１０７    ＬＥＤ（発光素子）
１０８    ミラー部材
１０９、１１０    表面
１１１、５１１、６１１、７１１    筐体
１１２    光源側壁面体
１１３    ミラー側壁面体
１１４    連結壁面体
１１５    開口部
４１２ａ、６１２ａ    基板設置溝
４１２ｂ    シート設置溝
５１６    取付部
Ｐ１    第１面
Ｐ２    第２面
Ｐ３    第３面
Ｐ４    第４面
Ｐ５    第５面
Ｐ６    第６面
Ｐ７    第７面
Ｐ８    第８面
Ｓ    原稿（照明対象）
Ｔ１    光源領域
Ｔ２    ミラー領域
Ｔ３    配置範囲
Ｗ    読取範囲
【図１】
2010109652.tif 000003
【図２】
2010109652.tif 000004
【図３】
2010109652.tif 000005
【図４】
2010109652.tif 000006
【図５】
2010109652.tif 000007
【図６】
2010109652.tif 000008
【図７】
2010109652.tif 000009
【図８】
2010109652.tif 000010
【図９】
2010109652.tif 000011
【図１０】
2010109652.tif 000012
【図１１】
2010109652.tif 000013
【図１２】
2010109652.tif 000014
【図１３】
2010109652.tif 000015
【図１４】
2010109652.tif 000016
【図１５】
2010109652.tif 000017
【図１６】
2010109652.tif 000018
【図１７】
2010109652.tif 000019
【図１８】
2010109652.tif 000020
【図１９】
2010109652.tif 000021
【図２０】
2010109652.tif 000022
【図２１】
2010109652.tif 000023